(57)【要約】      （修正有）【課題】かつらを素早く装着でき、かつ安全・快適、又衛生面での手入れも容易になるように、植毛ネットに取りつけできる櫛状の平型フックからなるかつら装着クイック部材を提供する。【解決手段】上記の櫛状の平型フックの歯元を歯先に較べ極端に狭く構成し、毛束が少量でも短毛でも挟んで抜け難くする。このフックを、頭部側に接するかつら裏面の縁に、対角線上に向かい合う位置に複数接着固定し、互いに引き合う力を利用して頭部上でかつらを密着固定し、外れ難くする。【選択図】図１
0003149638.tif 000002
【実用新案登録請求の範囲】
【請求項１】
櫛の形をした  かつら取り付け部材  平型のフックは歯と歯の間の目の部分に特徴が有り歯元で極端に狭くなっていて  毛束が少量でも短毛の場合でも挟んで抜けない  歯先は頭部毛髪部に無理なく進入できる丸みと鋭さを持ち  頭皮を傷つけない形で形成する。歯先は内側に曲線状を成し頭部接触時に歯先全体が均等に頭部面に触れる形状をして櫛の峰部は植毛用ネットの外側の縁と同じ曲線の形状を成している  植毛用ネット裏面に設置する平型のフックは薄毛頭部面に密着する為  頭部の丸みに合う曲面状のそりのあるフックである。
【請求項２】
植毛用ネットの頭部面側に取り付け部材平型のフックを接着固定した一体型の植毛用ネットです。ネットの縁に平型のフックの峰の部分を接着固定し歯先部分は裏面中心を向く。フックの設置位置は左右対角線上に向かい合う位置に設置する  植毛用ネットの大小により平型のフックの数は異なります。
【考案の詳細な説明】
【技術分野】
【０００１】本発明はかつらの頭部装着固定を目的とする取り付け部材である。又その部材を設置固定した植毛用ネットである。かつら装着取り外しを素早く容易に行えるものである。
【背景技術】
【０００２】従来のかつら装着部材にはそれぞれ最適部材が考案されているものと考えますが、かつら装着部である頭部  その周辺の毛量が少量  又は短毛の場合素早く固定できる部材が少なく個々の薄毛状態や条件にも違いが有り  もっと各個人の条件に合った取り付け部材は無いものかと考えました。素早く装着でき  発汗の多い頭部だけに  安全で快適また衛生的な面からも  日頃簡単に手入れが出来なければと考えました。
【考案の開示】
【考案が解決しようとする課題】
【０００３】従来考案されている  取り付け部材の中では、頭部残存毛髪が短毛の場合  又は少量の場合  何れにしても装着が容易ではありません。かつらを必要とされる個々の薄毛状態にも違いが有り、かつら装着の如何なる頭部条件でも可能な部材は無いものかと考えました。
【考案を解決するための手段】
【０００４】その課題を解決する目的で取り付け部材を考案しました  部材は櫛の形をした平型フックです。  フックは櫛の使用目的とは少し異なり  歯と歯の間の目の部分に特徴が有り歯元で極端に狭くなっていて、毛束が少量でも短毛でも挟んで抜けなくします。その平型フックを  かつらの頭部面側に取り付けます  かつらの形はさまざまですが  かつらが円形の場合裏面の円の縁に設置する。平型フックの歯先をかつら裏面中心に向け峰の部分を接着固定し  設置位置を左右対角線上に向かい合う位置にする。フックは互いに引き合う力を利用し頭部上で安定し固定される。２個の平型フックで一部分の目的を成しているので  かつらの大小によって複数のフックがいります。
【０００５】平型のフックを接着固定したかつらを頭部に置いた後、平型フックの峰の部分をを横からつまみ  かつらの端を少しめくり  平型フックの歯先を頭部面に向け頭部毛髪に差込、つまんだかつらの端を放す  めくったかつらの端が頭部毛髪表面に戻ったところを  かつらの端を軽く押さえる。順次周りを押さえると、平型フックは  歯先で毛束を引っ掛け、根元で挟んで抜けなくする。対角線上に設置されたフック同士互いに引き合い、かつらを密着固定することが出来る。
【考案の効果】
【０００６】かつらは  この平型フックで  少量の毛も、短毛の場合でも装着取り外しが簡単に素早くでき、残存する頭部毛髪に密着し一体感を生み出す。かつらの型にもよるが  部材は樹脂なので個人で丸洗いも可能な部材である。
【考案を実施するための最良の形態】
【０００７】平型フックは  歯先が頭部毛髪部に無理なく進入できる丸みと鋭さを持ち  頭皮を傷つけない形で形成し  歯と歯の間の目の部分を  峰にできるだけ近い位置で狭くし毛束を挟む  その後かつらの裏面に密着する。この一連の機能を成し得る歯先先端部の形状と大きさ、頭部毛髪の質、量、硬さ、個々に差があり形は同じでも大小、歯の長短、目の幅には  少し工夫する必要があります。平型フックは頭部面に密着する為、少々反りを有する形状となり、峰の部分はかつらの外形の丸みに等しく、頭皮に触れる歯先は外側が長く、内側は少し短く均等な力で接触できるように形成します。
【図１】
0003149638.tif 000003
【図２】
0003149638.tif 000004
【手続補正書】
【提出日】平成21年1月9日(2009.1.9)
【手続補正１】
【補正対象書類名】実用新案登録請求の範囲
【補正対象項目名】全文
【補正方法】変更
【補正の内容】
【実用新案登録請求の範囲】
【請求項１】
櫛の形をした平型のフックからなるかつら取り付け部材であって、平型のフックは歯と歯の間の目の部分に特徴があり、歯元で極端に狭くなっていて毛束が少量でも短毛の場合でも挟んで抜けない構造であり、歯先は頭部毛髪部に無理なく進入できる丸みと鋭さを持ち頭皮を傷つけない形で形成し、歯先は内側に曲線状を成し頭部接触時に歯先全体が均等に頭部面に触れる形状をして、櫛の峰部は植毛用ネットの外側の縁と同じ曲線の形状を成しており、植毛用ネット裏面に設置する平型のフックは薄毛頭部面に密着する為、頭部の丸みに合う曲面状のそりのあるフックからなる、かつら取り付け部材。
【請求項２】
植毛用ネットの縁に平型のフックの峰の部分を接着固定し歯先部分はネット裏面中心を向く、フックの設置位置は左右対角線上に向かい合う位置に設置することを特徴とする請求項１に記載のかつら取り付け部材。
【手続補正２】
【補正対象書類名】明細書
【補正対象項目名】全文
【補正方法】変更
【補正の内容】
【考案の詳細な説明】
【技術分野】
【０００１】本発明はかつらの頭部装着固定を目的とする取り付け部材である。又その部材を設置固定した植毛用ネットである。かつら装着取り外しを素早く容易に行えるものである。
【背景技術】
【０００２】従来のかつら装着部材にはそれぞれ最適部材が考案されているものと考えますが、かつら装着部である頭部その周辺の毛量が少量又は短毛の場合素早く固定できる部材が少なく個々の薄毛状態や条件にも違いが有りもっと各個人の条件に合った取付け部材は無いものかと考えました。素早く装着でき  発汗の多い頭部だけに  安全で快適また衛生的な面からも  日頃簡単に手入れが出来なければと考えました。
【考案の開示】
【考案が解決しようとする課題】
【０００３】従来考案されている  取り付け部材の中では、頭部残存毛髪が短毛の場合又は少量の場合  何れにしても装着が容易ではありません。かつらを必要とされる個々の薄毛状態にも違いが有り、かつら装着の如何なる頭部条件でも可能な部材は無いものかと考えまた。
【考案を解決するための手段】
【０００４】その課題を觧決する目的で取り付け部材を考案しました  部材は櫛の形をした平型フックです。フックは櫛の使用目的とは少し異なり  歯と歯の間の目の部分に特徴が有り歯元で極端に狭くなっていて、毛束が少量でも短毛でも挟んで抜けなくします。その平型フックを  かつらの頭部面側に取り付けます  かつらの形はさまざまですが  かつらが円形の場合裏面の円の縁に設置する。平型フックの歯先をかつら裏面中心に向け峰の部分を接着固定し  設置位置を左右対角線上に向かい合う位置にする。フックは互いに引き合う力を利用し頭部上で安定し固定される。２個の平型フックで一部分の目的を成しているので  かつらの大小によって複数のフックがいります。
【０００５】平型のフックを接着固定したかつらを頭部に置いた後、平型フックの峰の部分をを横からつまみ  かつらの端を少しめくり  平型フックの歯先を頭部面に向け頭部毛髪に差込、つまんだかつらの端を放す  めくったかつらの端が頭部毛髪表面に戻ったところを  かつらの端を軽く押さえる。順次周りを押さえると、平型フックは  歯先で毛束を引っ掛け、根元で挟んで抜けなくする。対角線上に設置されたフック同士互いに引き合い、かつらを密着固定することが出来る。
【考案の効果】
【０００６】かつらは  この平型フックで  少量の毛も、短毛の場合でも装着取り外しが簡単に素早くでき、残存する頭部毛髪に密着し一体感を生み出す。かつらの型にもよるが  部材樹脂なので個人で丸洗いも可能な部材である。
【考案を実施するための最良の形態】
【０００７】平型フックは  歯先が頭部毛髪部に無理なく進入できる丸みと鋭さを持ち  頭皮を傷つけない形で形成し  歯と歯の間の目の部分を  峰にできるだけ近い位置で狭くし毛束を挟む  その後かつらの裏面に密着する。この一連の機能を成し得る歯先先端部の形状と大きさ、頭部毛髪の質、量、硬さ、個々に差があり形は同じでも大小、歯の長短、目の幅には少し工夫する必要があります。平型フックは頭部面に密着する為、少々反りを有する形状となり、峰の部分はかつらの外形の丸みに等しく、頭皮に触れる歯先は外側が長く、内側は少し短く均等な力で接触できるように形成します。
【図面の簡単な説明】
【０００８】
【図１】図１の上の図は  本発明に係るかつら装着クイック部材の取り付け位置の一例をかつら裏面から見た平面図である。図１の下の図は  本発明に係るかつら装着クイック部材の歯先側から見た概略斜視図である。
【図２】本発明に係るかつら装着クイック部材が頭部毛髪を挟んだ状態を部材の峰側から見た概略斜視図である。